(57)【要約】【課題】  引き込み用のケーブルを雨樋等の架設対象物に架設する作業を容易に行うことができ、しかも経年劣化しにくいようなケーブル保持具を提供する。【解決手段】  本ケーブル保持具１は、ケーブル３を挿通する筒状部１１を有する固定具１０と、この固定具１０の筒状部１１内に挿入される保持部材２０とが組み合わされる。また、固定具１０は、架設対象物２に接着手段１３によって固定される板状部１２が筒状部１１と一体化されている。そして、保持部材２０には、ケーブル３を挟持する切割り２３が表面から中心にかけて形成されている。【選択図】  図２
2006271067.tif 000002
【特許請求の範囲】
【請求項１】
ケーブルを保持して架設対象物に取り付けられるケーブル保持具であって、
前記架設対象物に接着手段によって固定され、かつ、前記ケーブルを挿通する筒状部を有する固定具と、該固定具の筒状部内に挿入され、かつ、前記ケーブルを挟持する切割りを表面から内部にかけて形成した保持部材とが組み合わされていることを特徴とするケーブル保持具。
【請求項２】
前記固定具の筒状部に、長さ方向の割れ目が形成されていることを特徴とする請求項１に記載のケーブル保持具。
【請求項３】
前記保持部材の切割りに、ケーブルの断面形状と同じ断面形状の貫通孔が形成されていることを特徴とする請求項１または２に記載のケーブル保持具。
【請求項４】
前記貫通孔内に、ケーブルを押圧する突起が千鳥状に突設されていることを特徴とする請求項３に記載のケーブル保持具。
【発明の詳細な説明】
【技術分野】
【０００１】
本発明は、引き込み用のケーブルを雨樋等の架設対象物に架設する際に使用されるケーブル保持具に関する。
【背景技術】
【０００２】
例えば送電用や通信用のケーブルを建物内に導入する場合は、一般に、幹線ケーブルから引き込み用のケーブル（いわゆる引き込みケーブル若しくはドロップケーブルであり、以下、単に「ケーブル」という。）を分岐させ、これを幹線ケーブルの直近にある雨樋等の架設対象物に沿わせて屋内への引き込み位置近傍まで導くようにしている。この際、ケーブルは、例えば結束バンドなどの結束部材によって架設対象物に取り付けられる。
【発明の開示】
【発明が解決しようとする課題】
【０００３】
しかしながら、結束バンドなどの結束部材は、ケーブルと架設対象物とを束ねるように緊締することで両者を固定するものであり、取付に際してはケーブルを架設対象物に沿わせた状態を維持しつつ結束部材を取り扱う必要があるため、時間も要して作業性が良くないという問題がある。
【０００４】
また、結束部材は、細長い部材であるため、経年劣化によって断裂が生じ易いという問題がある。この場合、たとえ耐候性を有する結束部材を用いたとしても、有効な解決策とはならない。
【０００５】
そこで、本発明は、上記問題に鑑み、容易にケーブルの架設作業を行うことができ、しかも経年劣化しにくいようなケーブル保持具を提供することを目的とする。
【課題を解決するための手段】
【０００６】
本発明に係るケーブル保持具は、ケーブルを保持して架設対象物に取り付けられるケーブル保持具であって、前記架設対象物に接着手段によって固定され、かつ、前記ケーブルを挿通する筒状部を有する固定具と、該固定具の筒状部内に挿入され、かつ、前記ケーブルを挟持する切割りを表面から内部にかけて形成した保持部材とが組み合わされていることを特徴とする。
【０００７】
このケーブル保持具は、固定具と保持部材との組合せによって構成されるため、ケーブルを架設対象物に架設する作業性が優れたものとなる。すなわち、ケーブルは、保持部材の切割りに挟持されるとともに、固定具の筒状部内に挿通され、そして、保持部材が固定具の筒状部内に挿入されることにより、ケーブルをケーブル保持具に容易に保持した状態とすることができる。さらに、固定具が接着手段によって架設対象物に固定されると、ケーブルが架設対象物に架設された状態となる。
【０００８】
なお、ケーブルを架設対象物に架設するには、本発明に係るケーブル保持具を単体または複数使用してもよいし、あるいは、本発明に係るケーブ保持具と、フックのように引っ掛けるだけの掛け具とを組み合わせてもよい。
【０００９】
また、前記ケーブル保持具において、前記固定具の筒状部に、長さ方向の割れ目が形成されていることが好ましい。
【００１０】
このケーブル保持具によれば、固定具の筒状部に形成された割れ目から筒状部内にケーブルを挿し込むことができるため、ケーブルを筒状部の一端部から他端部へ挿通するよりも作業性が向上するだけでなく、ケーブル保持具を架設対象物に固定した後であっても、筒状部内に挿通するケーブルを容易に追加することができる。
【００１１】
また、前記ケーブル保持具において、前記保持部材の切割りに、ケーブルの断面形状と同じ断面形状の貫通孔が形成されていることが好ましい。
【００１２】
このケーブル保持具によれば、ケーブルは、切割りに形成された貫通孔内に収納される状態となる。したがって、保持部材はケーブルによって変形することがない、換言すれば、応力が加えられないため、経年劣化しにくいようにすることができる。なお、ケーブルの断面形状が扁平であれば、貫通孔は長孔状に形成され、ケーブルの断面形状が円形であれば、貫通孔は円形に形成される。
【００１３】
また、前記ケーブル保持具において、前記貫通孔内に、ケーブルを押圧する突起が千鳥状に突設されていることが好ましい。
【００１４】
このケーブル保持具によれば、貫通孔の内壁とケーブルとの間に隙間が生じる場合であっても、ケーブルが千鳥状に突設された突起に押圧されることにより、ケーブルが若干、蛇行するような状態となって貫通孔内で移動しにくいようにすることができる。
【発明の効果】
【００１５】
本発明によれば、ケーブル保持具が固定具と保持部材とを組み合わせたものとされ、ケーブルがケーブル保持具に容易に固定されることにより、ケーブルを架設対象物に架設する作業性を向上させることができる。したがって、ケーブルを架設対象物に沿って架設する工事費の低廉化を図ることができる。また、保持部材が固定具の筒状部内に挿入されることにより、ケーブル保持具は、経年劣化しにくくなり、面倒な部品交換などの補修作業を少なくすることができる。
【発明を実施するための最良の形態】
【００１６】
本発明に係るケーブル保持具の一実施形態について、図１から図７を参照しながら説明する。
【００１７】
この実施形態におけるケーブル保持具１は、図１に示すような高所に位置する雨樋あるいは建物の軒下や外壁等の架設対象物２に、例えば電線、電話線、光ファイバーケーブルなどのケーブル３を架設するもので、図示したように、ケーブル３を適宜間隔で引っ掛けるフックのような複数の掛け具４の両外側に配置される。ただし、例えばケーブル３を電柱から建物内に直ちに引き込む場合には、本実施形態のケーブル保持具１を単体または一対で使用することもできる。
【００１８】
いずれにしても、本実施形態のケーブル保持具１は、図２および図３（ａ）に示すように、架設対象物２に固定される固定具１０と、ケーブル３を挟持する保持部材２０とが組み合わされる。固定具１０は、ケーブル３を挿通する円筒状の筒状部１１と、この筒状部１１の長さ方向に沿って一体化されている板状部１２とからなり、板状部１２には接着手段１３が付着されている。
【００１９】
筒状部１１には、ケーブル３を挿し込む割れ目１４が長さ方向に形成されている。この割れ目１４は、図３（ｂ）に示すように、ハ字形に形成されることにより、ケーブル３を筒状部１１内に挿し込みやすくされている。ただし、筒状部１１が弾力性を有する材質の金属や樹脂などによって形成されることにより、図５に示すように、抱き込むように重なり合わせてもよい。
【００２０】
また、割れ目１４は、図示したように筒状部１１の板状部１２と反対側に形成するほか、板状部１２に近接した横側に形成してもよい。割れ目１４が筒状部１１の横側に形成されると、ケーブル３が筒状部１１内で弛んだときであっても、割れ目１４から筒状部１１外へ垂れ下がらないようにすることができる。
【００２１】
そして、板状部１２は、架設対象物２の形状に合わせた形状とされている。すなわち、架設対象物２が平板状であれば、板状部１２は、図２および図３（ａ）に示すように平板状とされ、架設対象物２が円弧状であれば、板状部１２は、図４および図５に示すように、架設対象物２の曲率と同じ曲率の円弧状とされる。
【００２２】
また、接着手段１３は、架設対象物２に凹凸部などがあっても密着することができるような弾力性のある厚手の両面接着テープが使用される。ただし、接着手段１３として、時間をおいて硬化する粘状の接着剤を塗布することもできる。なお、板状部１２の長さは、この接着手段１３の接着力との兼ねあいから設定される。すなわち、板状部１２は、接着手段１３によってケーブル保持具１が架設対象物２に固定されるに必要な長さとされる。
【００２３】
一方、保持部材２０は、円錐台形の挿入部２１と、この挿入部２１の拡径側の端部に設けられる鍔部２２とからなり、ゴムなどの弾性部材によって構成されている。そして、挿入部２１の拡径側の端部の外径は、筒状部１１の内径よりもわずかに大きくされ、この端部が圧縮されて筒状部１１内に挿入されることにより、筒状部１１内に挿入された保持部材２０が容易に抜け出ないようにされている。
【００２４】
また、鍔部２２によって挿入部２１が筒状部１１内の奥側まで挿入されすぎないようにされている。したがって、拡径側の端部の外径が筒状部１１の内径よりも十分に大きく形成されているときは、鍔部２２は必ずしも必要ではない。
【００２５】
そして、挿入部２１と鍔部２２の表面から内部にかけて切割り２３が形成されている。挿入部２１と鍔部２２の内部、すなわち、切割り２３の内端部は、ケーブル３の断面形状と同じ断面形状の貫通孔２４が形成されている。例えば、ケーブル３の断面形状が扁平であれば、貫通孔２４は長孔状に形成され、ケーブル３の断面形状が円形であれば、貫通孔２４は円形に形成される。
【００２６】
このような貫通孔２４が形成される場合であって、ケーブル３と貫通孔２４の内壁との間に隙間が生じるときは、図６に示すように、貫通孔２４の内壁には、複数の突起２５，２５…が千鳥状に突設される。この突起２５，２５…によってケーブル３は若干、蛇行するようになり、貫通孔２４内に固定され、移動しにくいようにすることができる。
【００２７】
ただし、保持部材２０が弾力性に富み、特に円柱状のケーブル３を保持する場合にあっては、切割り２３の内端部には貫通孔２４を形成することなく、単に切り込んだだけのものとしてもよい。この場合、ケーブル３は切割り２３に押圧され、切割り２３の周囲が弾性変形して、ケーブル３を挟持するようにすることができる。
【００２８】
このように構成されたケーブル保持具１がケーブル３を保持するには、例えば、まずケーブル３を固定具１０の筒状部１１内に挿通する。ケーブル３は、筒状部１１の一方の端部から他方の端部の方へ挿通してもよいし、筒状部１１の割れ目１４から挿通してもよい。
【００２９】
そして、固定具１０付近のケーブル３を保持部材２０が挟持するようにする。すなわち、保持部材２０の切割り２３をわずかに広げた状態とし、ケーブル３を切割り２３内に挿し込む。そして、ケーブル３が貫通孔２４内に位置すると、広げられた切割り２３を閉じることにより、ケーブル３が貫通孔２４内から抜け出ないようにされる。
【００３０】
そして、このケーブル３を挟持した保持部材２０の挿入部２１を固定具１０の筒状部１１内に挿入すると、ケーブル３をケーブル保持具１に保持させる作業が終了する。挿入部２１の拡径側の端部は、わずかに圧縮されて筒状部１１内に挿入されるため、保持部材２０は筒状部１１から抜けにくいようにされている。
【００３１】
このケーブル３を固定したケーブル保持具１は、図７（ａ）または（ｂ）に示すような取付け工具３０，４０によって架設対象物２に固定される。図７（ａ）に示した取付け工具３０は、バー３１の上端部に固定具１０の筒状部１１を挟む開閉自在の挟持部３２が設けられ、バー３１の下端部に挟持部を開閉するためのレバー３３が備えられている。そして、レバー３３を握る（バー３１に近接させる）と挟持部３２が開き、レバーを握らないと挟持部３２が固定具１０の筒状部１１を挟む方向に付勢される。
【００３２】
また、図７（ｂ）に示す取付け工具４０は、固定具１０の筒状部１１の外径よりもわずかに狭い間隔で、バネ性を有するコ字形の挟持部４２がバー４１の上端部に備えられ、この挟持部４２がバネ力によって固定具１０の筒状部１１を挟むようにされている。
【００３３】
このような取付け工具４０を使用することにより、架設対象物２が雨樋のように高所に位置する場合であっても、ケーブル３を保持したケーブル保持具１を容易に架設対象物２に固定することができる。ケーブル保持具１は、固定具１０の板状部１２に付着された接着手段１３が架設対象物２に接着することによって、固定される。
【００３４】
例えば図１に示すように、ケーブル３を保持した一対のケーブル保持具１，１が架設対象物２に固定され、また、このケーブル保持具１間のケーブル３を引っ掛ける複数の掛け具４，４…が架設対象物２に固定されることにより、ケーブル３が架設対象物２に沿って架設される。掛け具４は、フックのようなものを使用してもよいし、本実施形態におけるケーブル保持具１の固定具１０の部分のみを使用してもよい。
【００３５】
いずれにしても、一対のケーブル保持具１，１の保持部材２０，２０は、挿入部２１，２１が対向するようにそれぞれ筒状部１１，１１内に挿入されることにより、ケーブル３には、わずかな張力が加えられ、例えば、ケーブル３が電柱側に引っ張られることなく、断線しないようにすることができるとともに、架設対象物２と平行になり、見た目を良好なものとすることができる。
【００３６】
そして、ケーブル３を増設する場合や、ケーブル３を交換する場合は、固定具１０が架設対象物２に固定されていることから、固定具１０の割れ目１４から筒状部１１内にケーブル３を挿通する。また、保持部材２０の挿入部２１を固定具１０の筒状部１１から抜き出し、新たなケーブル３を切割り２３内に挟持されるようにする。
【００３７】
なお、本発明は、前記の実施形態に限定することなく特許請求の範囲に記載した技術的事項の範囲内において種々変更することができる。例えば、ケーブル３を増設する場合であっても、新たなケーブル３を固定具１０の筒状部１１内に一端側から他端側へ挿通することができるため、筒状部１１に割れ目１４を形成しないものとすることもできる。
【００３８】
また、ケーブル保持具１の筒状部１１は、三角筒状あるいは四角筒状とし、保持部材２０の挿入部２１も三角柱状や四角柱状としてもよい。この場合の固定具１０は、筒状部１１の一面が板状部１２を兼用することとなる。
【図面の簡単な説明】
【００３９】
【図１】本発明の実施形態に係るケーブル保持具を使用している状態の正面図である。
【図２】本発明の実施形態に係るケーブル保持具の分解斜視図である。
【図３】本発明の実施形態に係るケーブル保持具の側面図であり、（ａ）は全体の側面図、（ｂ）は要部拡大側面図である。
【図４】本発明の実施形態に係るケーブル保持具の変形例を示す側面図である。
【図５】本発明の実施形態に係るケーブル保持具のさらに異なる変形例を示す側面図である。
【図６】本発明の実施形態に係るケーブル保持具の正面断面図である。
【図７】（ａ）は本発明の実施形態に係るケーブル保持具を架設対象物に固定するときに使用する取付け工具の概略図であり、（ｂ）は同じく変形例を示す取付け工具の概略図ある。
【符号の説明】
【００４０】
１…ケーブル保持具、２…架設対象物、１０…固定具、１１…筒状部、１３…接着手段、１４…切込み、２０…保持部材、２３…切割り、２４…貫通孔、２５…突起
【図１】
2006271067.tif 000003
【図２】
2006271067.tif 000004
【図３】
2006271067.tif 000005
【図４】
2006271067.tif 000006
【図５】
2006271067.tif 000007
【図６】
2006271067.tif 000008
【図７】
2006271067.tif 000009